(57)【要約】【課題】広告効果をできる限り損なうことなく、ドアが開いた直後における人同士の衝突を回避し、安全性を確保する。【解決手段】画像にかかる画像信号を入力する画像入力部と、光透過性のスクリーンに対して前記画像を投写する投写部と、前記スクリーンの画像投写面側に位置する人を検知する第１の検知部と当該スクリーンの前記画像投写面の反対面側に位置する人を検知する第２の検知部とからそれぞれ出力される検知信号に応じて前記投写部における前記画像の投写を制御する制御部と、を備え、前記制御部は、前記スクリーンの前記画像投写面側および前記反対面側の両側で人が検知された場合、両側で人が検知されない場合に比べて当該スクリーンに対して投写する前記画像の明るさを低下させる。【選択図】図３
2017211523.tif 000002
【特許請求の範囲】
【請求項１】
画像にかかる画像信号を入力する画像入力部と、
光透過性のスクリーンに対して前記画像を投写する投写部と、
前記スクリーンの画像投写面側に位置する人を検知する第１の検知部と当該スクリーンの前記画像投写面の反対面側に位置する人を検知する第２の検知部とからそれぞれ出力される検知信号に応じて前記投写部における前記画像の投写を制御する制御部と、
を備え、
前記制御部は、前記スクリーンの前記画像投写面側および前記反対面側の両側で人が検知された場合、両側で人が検知されない場合に比べて当該スクリーンに対して投写する前記画像の明るさを低下させる、
ことを特徴とする画像投写装置。
【請求項２】
前記制御部は、前記スクリーンの前記画像投写面側および前記反対面側の両側で人が検知された場合、前記画像入力部から入力された前記画像を暗くする、
ことを特徴とする請求項１記載の画像投写装置。
【請求項３】
前記制御部は、前記画像入力部から入力された前記画像について、内容を視認可能に維持しつつ当該画像に比べて黒領域を増加させる、
ことを特徴とする請求項２記載の画像投写装置。
【請求項４】
前記制御部は、前記画像入力部から入力された前記画像の白黒を反転させた画像に切り替える、
ことを特徴とする請求項３記載の画像投写装置。
【請求項５】
前記制御部は、前記画像入力部から入力された前記画像について画面サイズを縮小した画像に切り替える、
ことを特徴とする請求項３記載の画像投写装置。
【請求項６】
前記制御部は、前記画像入力部から入力された前記画像についてアスペクト比を変更した画像に切り替える、
ことを特徴とする請求項３記載の画像投写装置。
【請求項７】
前記投写部は、光に対して変調を加える光変調素子を備えており、
前記制御部は、前記スクリーンの前記画像投写面側および前記反対面側の両側で人が検知された場合、前記光変調素子を制御して光の強度を弱くする、
ことを特徴とする請求項１ないし６の何れか一記載の画像投写装置。
【請求項８】
前記投写部は、光を発する光源を備えており、
前記制御部は、前記スクリーンの前記画像投写面側および前記反対面側の両側で人が検知された場合、前記光源に印加する電力を低下させる、
ことを特徴とする請求項１ないし６の何れか一記載の画像投写装置。
【請求項９】
前記投写部は、光を発する光源を備えており、
前記制御部は、前記スクリーンの前記画像投写面側および前記反対面側の両側で人が検知された場合、前記光源を消灯する、
ことを特徴とする請求項１ないし６の何れか一記載の画像投写装置。
【請求項１０】
前記投写部は、画像が前記スクリーンに向けて投写される投写口と、当該投写口を閉めて前記投写を遮断する遮断部と、を備えており、
前記制御部は、前記スクリーンの前記画像投写面側および前記反対面側の両側で人が検知された場合、前記遮断部により前記投写口を閉めて前記投写を遮断する、
ことを特徴とする請求項１ないし６の何れか一記載の画像投写装置。
【請求項１１】
前記投写部は、光を発する光源と、当該光源から投写する光の量を制御するアイリスと、を備えており、
前記制御部は、前記スクリーンの前記画像投写面側および前記反対面側の両側で人が検知された場合、前記光源から投写される光の量を前記アイリスで絞る、
ことを特徴とする請求項１ないし６の何れか一記載の画像投写装置。
【請求項１２】
請求項１ないし１１の何れか一記載の画像投写装置と、
前記画像投写装置から画像が投写される光透過性のスクリーンと、
前記スクリーンの画像投写面側に位置する人を検知する第１の検知部と、
前記スクリーンの前記画像投写面の反対面側に位置する人を検知する第２の検知部と、
を備えることを特徴とするサイネージシステム。
【請求項１３】
前記スクリーンの画像投写面側および反対面側の両側で人が検知された場合に画像の明るさを低下させる前記画像投写装置における処理は、前記スクリーンが設けられたドアの開動作よりも先に実行される、
ことを特徴とする請求項１２記載のサイネージシステム。
【請求項１４】
前記第１の検知部および前記第２の検知部の検知範囲は、前記スクリーンが設けられたドアの開閉のトリガーとなるセンサの検知範囲と比較して広範囲である、
ことを特徴とする請求項１３記載のサイネージシステム。
【請求項１５】
前記第１の検知部および前記第２の検知部は、前記スクリーンが設けられたドアの開閉のトリガーとなるセンサである、
ことを特徴とする請求項１２記載のサイネージシステム。
【請求項１６】
前記スクリーンが設けられたドアの開閉のトリガーとなるセンサの検知範囲を、前記ドア近傍に位置する人を検知する検知範囲と、当該検知範囲から離れた位置に位置する人を検知する第１の検知部４または第２の検知部５の検知範囲とに分けて設定する、
ことを特徴とする請求項１５記載のサイネージシステム。
【請求項１７】
前記第１の検知部または前記第２の検知部の検知範囲は、当該第１の検知部または前記第２の検知部の検知があってから所定の時間後、前記センサの検知による前記ドアの開動作が実行されるように設定される、
ことを特徴とする請求項１４または１６記載のサイネージシステム。
【請求項１８】
画像にかかる画像信号を入力する画像入力部と、光透過性のスクリーンに対して前記画像を投写する投写部と、前記スクリーンの画像投写面側に位置する人を検知する第１の検知部と当該スクリーンの前記画像投写面の反対面側に位置する人を検知する第２の検知部とからそれぞれ出力される検知信号に応じて前記投写部における前記画像の投写を制御する制御部と、を備える画像投写装置で実行される画像投写制御方法であって、
前記制御部は、前記スクリーンの前記画像投写面側および前記反対面側の両側で人が検知された場合、両側で人が検知されない場合に比べて当該スクリーンに対して投写する前記画像の明るさを低下させる工程を含む、
ことを特徴とする画像投写制御方法。
【発明の詳細な説明】
【技術分野】
【０００１】
本発明は、画像投写装置、サイネージシステムおよび画像投写制御方法に関する。
【背景技術】
【０００２】
従来、店舗等の窓や自動ドア等のガラス面に貼り付けた透光性フィルムタイプのスクリーンに対してプロジェクタで画像や映像（以下、画像という）を投写するサイネージシステムが既に知られている。これにより、通行人や入店者に対して、画像を用いた店舗の広告情報等を伝達することができる。
【０００３】
また、例えば投写光が店舗等の入口を通過する人の目に直接入ることを防止する目的で、スクリーンが設置されたドアに接近する人を検知した場合、画像投写を中断するサイネージシステムも開示されている。
【発明の概要】
【発明が解決しようとする課題】
【０００４】
従来の技術によれば、スクリーンが設置されたドアの前に立ち止まって投写された画像を見ようとしても、ドアに接近する人として検知された場合、画像投写が中断されてしまうことになる。すなわち、このような場合においても画像を消してしまうと、広告効果は大きく損なわれてしまう。
【０００５】
一方で、ドアに貼り付けられているスクリーンに画像が投写されている場合には、スクリーンに投写された画像が、ドアの先の視認性を妨げる場合がある。このような場合、ドアを挟んで反対側に存在する人に気が付かず、ドアが開いた直後に人同士が衝突する危険があるという問題がある。
【０００６】
本発明は、上記に鑑みてなされたものであって、広告効果をできる限り損なうことなく、ドアが開いた直後における人同士の衝突を回避し、安全性を確保することができる画像投写装置、サイネージシステムおよび画像投写制御方法を提供することを目的とする。
【課題を解決するための手段】
【０００７】
上述した課題を解決し、目的を達成するために、本発明は、画像にかかる画像信号を入力する画像入力部と、光透過性のスクリーンに対して前記画像を投写する投写部と、前記スクリーンの画像投写面側に位置する人を検知する第１の検知部と当該スクリーンの前記画像投写面の反対面側に位置する人を検知する第２の検知部とからそれぞれ出力される検知信号に応じて前記投写部における前記画像の投写を制御する制御部と、を備え、前記制御部は、前記スクリーンの前記画像投写面側および前記反対面側の両側で人が検知された場合、両側で人が検知されない場合に比べて当該スクリーンに対して投写する前記画像の明るさを低下させる、ことを特徴とする。
【発明の効果】
【０００８】
本発明によれば、広告効果をできる限り損なうことなく、ドアが開いた直後における人同士の衝突を回避し、安全性を確保することができる、という効果を奏する。
【図面の簡単な説明】
【０００９】
【図１】図１は、第１の実施の形態にかかるサイネージシステムの構成を示す図である。
【図２】図２は、画像投写装置のハードウェア構成を例示的に示すブロック図である。
【図３】図３は、画像の切り替え例を示す図である。
【図４】図４は、衝突回避処理の流れを概略的に示すフローチャートである。
【図５】図５は、第２の実施の形態にかかる画像投写装置のハードウェア構成を例示的に示すブロック図である。
【発明を実施するための形態】
【００１０】
以下に添付図面を参照して、画像投写装置、サイネージシステムおよび画像投写制御方法の実施の形態を詳細に説明する。
【００１１】
（第１の実施の形態）
図１は、第１の実施の形態にかかるサイネージシステム１の構成を示す図である。本実施の形態のサイネージシステム１は、コンビニエンスストア等の店舗に設けられる。
【００１２】
図１に示すように、サイネージシステム１は、画像投写装置２と、光透過性のスクリーン３と、第１の検知部４と、第２の検知部５と、コントローラ６と、を備える。なお、画像投写装置２は、コントローラ６を含む構成であってもよい。
【００１３】
画像投写装置２は、スクリーン３に対して画像や映像（以下、画像という）を投写する。画像投写装置２は、店舗内に設けられている。画像投写装置２は、店舗内の天井に設けた支持器具２ａに支持される。画像投写装置２は、例えば単板式のＤＬＰ（Digital  Light  Processing）（登録商標）プロジェクタである。単板式のＤＬＰプロジェクタは、概略的には、光源と映像再生装置の間に高速で回転するカラーホイールを配置し、赤・緑・青の光を時分割で映像再生装置に当ててスクリーン３に投写するものである。映像再生装置は、ＤＭＤ（Digital  Micromirror  Device）（登録商標）である。
【００１４】
図１に示すように、スクリーン３は、画像投写装置２から投写される光線の延長上に配置される。スクリーン３は、店舗における店舗内と店舗外とを仕切るガラス製の自動ドアであるドア７に貼り付けられている。スクリーン３は、例えば平面・矩形状である。なお、スクリーン３は、平面・矩形状に限るものではなく、円形状などの任意の形状とすることができる。
【００１５】
また、スクリーン３は、例えば、透明でありながら画像投写装置２から投写された画像を映し出せるフィルムである。スクリーン３は、画像投写装置２から投写された光線を拡散して結像する素材で形成されるか、表面処理が行われている。
【００１６】
図１に示すように、本実施の形態においては、画像投写装置２は、スクリーン３に対して斜め上方より画像を投写できるように設置されている。
【００１７】
なお、ドア７の自動開閉は、予め設けられたセンサで検知する。なお、ドア７の自動開閉のトリガーは、スイッチを手動で押下するものでもよいし、タッチ式でもよい。また、ドア７の形状は、スライドドアでもよいし、スイングドア、円形ドア、回転ドアでもよい。
【００１８】
また、第１の検知部４と第２の検知部５とは、ドア７を挟んで店舗内と店舗外とにそれぞれ設けられている。第１の検知部４は、店舗内に設けられており、スクリーン３の画像投写面側に位置する人を検知する。第２の検知部５は、店舗外に設けられており、スクリーン３の画像投写面の反対面側に位置する人を検知する。
【００１９】
第１の検知部４および第２の検知部５は、人を検知した場合、人を検知したこと示す検知信号をコントローラ６に送信する。検知信号の送受信は、ＵＳＢ端子等を介した有線通信でもよいし、無線通信でもよい。
【００２０】
第１の検知部４および第２の検知部５は、赤外線センサ、熱センサ、マイクロ波センサ、超音波センサ、光線反射センサ等、いずれの方式でもよい。
【００２１】
また、第１の検知部４および第２の検知部５の取り付け位置は、店舗の天井、無目、壁、柱、床、ドア７の本体等、いずれの位置でもよい。
【００２２】
なお、第１の検知部４および第２の検知部５は、ドア７に予め設けられているものであって当該ドア７の開閉のトリガーとなるセンサと共通でもよい。ドア７の開閉のトリガーとなるセンサと共通であれば、コスト削減を図ることができる。
【００２３】
コントローラ６は、第１の検知部４および第２の検知部５の両方から検知信号を受信した場合、画像投写装置２に対して後述する衝突回避制御を行うトリガーとなるトリガー信号を送信する。
【００２４】
なお、第１の検知部４および第２の検知部５の両方からの検知信号の受信は、第１の検知部４と第２の検知部５とで同時でなくてもよい。例えば、コントローラ６は、第１の検知部４と第２の検知部５との両方からの検知信号を所定の時間（例えば３秒以内）に受信した場合にも、トリガー信号を画像投写装置２に対して送信するようにしてもよい。
【００２５】
次に、画像投写装置２の電気・電子的な構成について説明する。
【００２６】
図２は、画像投写装置２のハードウェア構成を例示的に示すブロック図である。図２に示すように、画像投写装置２は、制御部である制御装置２１と、画像入力部２２と、投写部２３と、光変調素子２４と、を備えている。
【００２７】
画像入力部２２は、画像媒体（ＰＣ、ＵＳＢメモリ、サーバ等）３０からコンテンツの画像にかかる画像信号を入力する。画像入力部２２は、入力された画像信号を制御装置２１に送信する。
【００２８】
制御装置２１は、画像投写装置２における主たる制御を行う。制御装置２１は、メイン制御部２１１、投写制御部２１２、光変調素子制御部２１３を備える。これらの各部は、例えば、プロセッサやメモリを含むコンピュータシステム、あるいは、ＦＰＧＡやＡＳＩＣなどの専用ハードウェアを用いて実現される。これらの各部の機能を実現するハードウェアは、例えば、画像投写装置２内部に配置された回路基板に実装される。
【００２９】
また、制御装置２１を実現するコンピュータシステムで実行されるプログラムは、ＲＯＭ等に予め組み込まれて提供される。
【００３０】
制御装置２１を実現するコンピュータシステムで実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００３１】
さらに、制御装置２１を実現するコンピュータシステムで実行されるプログラムを、インターネット等のネットワークに接続されたコンピュータ上に格納し、ネットワーク経由でダウンロードさせることにより提供するように構成しても良い。また、制御装置２１を実現するコンピュータシステムで実行されるプログラムをインターネット等のネットワーク経由で提供または配布するように構成しても良い。
【００３２】
メイン制御部２１１は、画像入力部２２から送信された画像信号を元に光変調素子制御部２１３および投写制御部２１２の制御を行い、スクリーン３に投写する画像を生成する。
【００３３】
メイン制御部２１１は、第１の検知部４と第２の検知部５とからそれぞれ出力される検知信号に応じてコントローラ６から送信されるトリガー信号に応じて投写部２３または光変調素子２４を制御する。
【００３４】
メイン制御部２１１は、コントローラ６からトリガー信号を受信した場合、すなわちスクリーン３の画像投写面側および反対面側の両側で人が検知された場合、両側で人が検知されない場合に比べて当該スクリーン３に対して投写する画像の明るさを低下させる。このようにスクリーン３の画像投写面側および反対面側の両側で人が検知された場合、スクリーン３に対して投写する画像の明るさを低下させるのは、スクリーン３が貼り付けられたドア７が開いた直後における人同士の衝突を回避するためである。
【００３５】
投写部２３は、画像入力部２２により入力した画像信号にかかる画像をスクリーン３に対して投写する。投写部２３は、画像投写装置２の画像投写にかかる部分であり、光源、映像再生装置（ＤＭＤ）、レンズ等を含んでいる。
【００３６】
投写制御部２１２は、メイン制御部２１１の制御に従い投写部２３を制御する。
【００３７】
光変調素子２４は、投写部２３に備えられており、光に対して変調を加える。
【００３８】
光変調素子制御部２１３は、メイン制御部２１１の制御に従い光変調素子２４を制御する。
【００３９】
ここで、メイン制御部２１１によるスクリーン３に対する投写画像の明るさの低下手法について説明する。
【００４０】
メイン制御部２１１は、コントローラ６からトリガー信号を受信すると、画像入力部２２から入力された画像を暗くする。より詳細には、メイン制御部２１１は、画像入力部２２から入力された画像について、内容を視認可能に維持しつつ当該画像に比べて黒領域を増加させる。このように黒領域を増加させることにより、より視界がよくなる効果がある。
【００４１】
具体的には、メイン制御部２１１は、コントローラ６からトリガー信号を受信すると、投写部２３が投写する画像を衝突回避用の黒領域が多い画像に切り替える。ここで、図３は画像の切り替え例を示す図である。例えば、メイン制御部２１１は、図３（ａ）に示す画像の白黒を反転させた図３（ｂ）に示す衝突回避用の画像に切り替える。これにより、元画像に比べて黒領域を増加させることができる。なお、衝突回避用の黒領域が多い画像を予め用意しておき、メイン制御部２１１は、コントローラ６からトリガー信号を受信すると、元画像を衝突回避用の画像に切り替えるようにしても良い。
【００４２】
また、メイン制御部２１１は、コントローラ６からトリガー信号を受信すると、投写部２３が投写する画像の一部を黒領域に変更した画像に切り替えるようにしても良い。具体的には、メイン制御部２１１は、図３（ａ）に示す画像について画面サイズを縮小した図３（ｃ）に示す衝突回避用の画像に切り替えるようにしても良い。さらに、メイン制御部２１１は、図３（ａ）に示す画像についてアスペクト比を変更した図３（ｄ）に示す衝突回避用の画像に切り替えるようにしても良い。このように内容を視認可能に維持しつつ、画像の一部を黒領域に変更することにより、スクリーン３が貼り付けられたドア７の奥が見えやすくすることができる。
【００４３】
なお、メイン制御部２１１によるスクリーン３に対する投写画像の明るさの低下手法は、上記に限るものではない。
【００４４】
例えば、メイン制御部２１１は、コントローラ６からトリガー信号を受信すると、光変調素子制御部２１３の制御を行い、光変調素子２４を制御して光の強度を弱くするようにしても良い。
【００４５】
また、メイン制御部２１１は、コントローラ６からトリガー信号を受信すると、投写部２３の光源に印加する電力を低下させるようにしても良い。このようにすることで消費電力を低下させられる上、画像を暗くした際における画像投写装置２の投写口２ｂからの光漏れも低減することができる。また、メイン制御部２１１は、コントローラ６からトリガー信号を受信すると、投写部２３の光源を消灯するようにしても良い。この場合、さらに消費電力を低下させることができ、投写口２ｂからの光漏れを完全に無くすことができる。
【００４６】
次に、メイン制御部２１１における衝突回避処理について説明する。
【００４７】
図４は、メイン制御部２１１における衝突回避処理の流れを概略的に示すフローチャートである。図４に示すように、メイン制御部２１１は、コントローラ６からトリガー信号を受信した場合、すなわちスクリーン３の画像投写面側および反対面側の両側で人が検知された場合（ステップＳ１のＹｅｓ）、スクリーン３に対する投写画像の明るさを低下させる制御を行う（ステップＳ２）。
【００４８】
メイン制御部２１１は、コントローラ６からトリガー信号を受信しなくなると（ステップＳ１のＮｏ）、スクリーン３に対する投写画像の明るさを通常の明るさに戻す（ステップＳ３）。
【００４９】
なお、メイン制御部２１１における衝突回避処理は、スクリーン３が貼り付けられたドア７の開動作よりも先に行うことが望ましい。例えば、ステップＳ２におけるスクリーン３に対する投写画像の明るさを低下させる制御を行った後、すなわち第１の検知部４または第２の検知部５の検知があってから所定の時間後（例えば、１秒経過後）、ドア７の開動作をするように第１の検知部４および第２の検知部５の検知範囲を設定する。こうすることにより、スクリーン３が貼り付けられたドア７が開く前に人の存在を認識できる効果がある。
【００５０】
そのため、ドア７に予め設けられている当該ドア７の開閉のトリガーとなるセンサとは独立して第１の検知部４および第２の検知部５を設ける場合、第１の検知部４および第２の検知部５の検知範囲をドア７のセンサの検知範囲と比較して広範囲にしたほうがよい。
【００５１】
また、ドア７に予め設けられている当該ドア７の開閉のトリガーとなるセンサを第１の検知部４および第２の検知部５とする場合、検知範囲を分けて設定してもよい。例えば、ドア７に予め設けられているセンサの検知範囲を、ドア７近傍に位置する人を検知する従来のセンサによる検知範囲と、ドア７から少し離れた位置に位置する人を検知する第１の検知部４または第２の検知部５の検知範囲とに分けて設定してもよい。こうすることで、ドア７の開動作の前に人を検知することができる。
【００５２】
このように本実施の形態によれば、スクリーン３の画像投写面側および反対面側の両側で人が検知された場合、両側で人が検知されない場合に比べてスクリーン３に対して投写する画像の明るさを低下させて画像を暗くする。これにより、スクリーン３が貼り付けられたドア７の奥が見えやすくなり、広告効果をできる限り損なうことなく、ドアが開いた直後における人同士の衝突を回避し、安全性を確保することができる。
【００５３】
（第２の実施の形態）
次に、第２の実施の形態について説明する。なお、前述した第１の実施の形態と同じ部分は同じ符号で示し説明も省略する。
【００５４】
ここで、図５は第２の実施の形態にかかる画像投写装置２のハードウェア構成を例示的に示すブロック図である。図５に示すように、画像投写装置２は、第１の実施の形態で説明した構成に加え、遮断部であるシャッター２５とシャッター制御部２１４とを備えている。
【００５５】
シャッター２５は、画像投写装置２の投写口２ｂに設けられ、当該投写口２ｂを開閉する。シャッター２５は、投写口２ｂを閉めて画像の投写を遮断する。
【００５６】
シャッター制御部２１４は、メイン制御部２１１の制御に従いシャッター２５を制御する。
【００５７】
メイン制御部２１１は、コントローラ６からトリガー信号を受信すると、シャッター制御部２１４の制御を行ってシャッター２５を閉める。
【００５８】
通常、黒領域を増加させた画像を投写しても投写口２ｂから光が漏れてしまうが、シャッター２５を閉めることにより、投写口２ｂからの光漏れを完全に遮断することができる。
【００５９】
なお、シャッター２５に代えて、投写部２３が光源から投写する光の量を制御する遮断部であるアイリスを備えていても良い。この場合、メイン制御部２１１は、スクリーン３の画像投写面側および反対面側の両側で人が検知された場合、光源から投写される光の量をアイリスで絞ることにより、スクリーン３に対して投写する画像の明るさを低下させて画像を暗くすることができる。
【符号の説明】
【００６０】
１        サイネージシステム
２        画像投写装置
２ｂ      投写口
３        スクリーン
４        第１の検知部
５        第２の検知部
２１      制御部
２２      画像入力部
２３      投写部
２４      光変調素子
２５      遮断部
【先行技術文献】
【特許文献】
【００６１】
【特許文献１】特開平０６−０４３８２１号公報
【図１】
2017211523.tif 000003
【図２】
2017211523.tif 000004
【図３】
2017211523.tif 000005
【図４】
2017211523.tif 000006
【図５】
2017211523.tif 000007